(57)【要約】【課題】  床材を捲り上げることなく、下地床上の塵を簡単に流出させ、床材上下部を常時きれいに維持し得るようにできる流水機能を有するユニット床材を提供する。【解決手段】  単位パネル３を目地間隙４を置いて結合部５で横方向に結合し、側辺に雌雄脱着可能な連結部６を形成し、全パネルに亘って裏側にパイプ状の放水路７を一体的に形成し、放水路７の側面には、全孔から略均等的に放水が可能なように適宜間隔をおいて放水孔８を形成し、放水路７の両端には、互いに着脱連結可能な雄口部９と雌口部１０を形成してユニット床材１を構成した。【選択図】      図２
2006336288.tif 000002
【特許請求の範囲】
【請求項１】
下地床上に敷設するユニット床材であって、少なくとも水勾配の川上側に敷設する床部の裏側に水勾配と交差方向の放水路を形成してなる構成を有するユニット床材。
【請求項２】
放水路には垂直下方から川下方向の間の９０°内の路壁に適宜間隔をおいて放水孔を形成してなる請求項１に記載のユニット床材。
【発明の詳細な説明】
【技術分野】
【０００１】
本発明は、下側への流水機構を具備したユニット床材に関する。
【背景技術】
【０００２】
例えばバルコニー等において、下地床（躯体床）上にユニット床材が敷設されている。この種の床材は、根太の上に床板を目地間隙を保って並設してなるブロックを並べて敷き詰めるか、方形床板を目地間隔を置いて縦横に結合してなるブロックを連結して敷き詰めるなどである。前者の場合は、根太の下側に通水用の溝を設けることが下記文献１に開示されている。後者のものは床板下方に接地脚を突設することが下記文献２に開示されている。なお、床材はプラスチック、磁器タイル、木材、硬質ゴムなど色々である。
このような床が汚れたときは、床上にホースで水を流しながらブラシ等で掃除をするのが一般的であり、下地床上に塵が溜まったときには、床材を捲り上げて移動させ、箒で掃き取るのが普通であった。
【特許文献１】特開２００２−２９４９８８号公報
【特許文献２】特開平１１−７１８８７号公報
【発明の開示】
【発明が解決しようとする課題】
【０００３】
床材には上記のように目地間隙が形成されており、自然蓄積の塵は間隙から下地床上に溜まり、床材上を放水して清掃しても、その排水はすべて下地床上に流れ落ち、これらの塵は、結局下地床上に溜まり、しかも根太や接地脚に引っ掛かって溜まることになる。これを除去しようとして敷き詰めた床材を捲りあげるのは大変であり、ブロック同士を連結してある場合は、分離、再連結等に過度な負担がかかることになる。
本発明は、このような問題に着眼してなしたものであり、床材を捲り上げることなく、下地床上の塵を簡単に流出させ、床材上下部を常時きれいに維持し得るようにできる流水機能を有するユニット床材を提供せんとするものである。
【課題を解決するための手段】
【０００４】
上記課題を解決するために、本発明は、下地床上に敷設するユニット床材であって、少なくとも水勾配の川上側に敷設する床部の裏側に水勾配と交差方向の放水路を形成してユニット床材を構成したことを特徴とするものである。
上記放水路には垂直下方から川下方向の間の９０°内の路壁に適宜間隔をおいて放水孔を形成するのが好ましく、特に、該９０°間の中央約３０〜４５°の範囲内に形成するか、或いは同中央３０〜４５°の上下両側位置付近に形成するのがより好ましい。
【発明の効果】
【０００５】
本発明によれば、放水路にホースを繋いで通水すれば、水勾配上側沿いのユニット床材下側において下地床面上に直接放水できるので、全面に放水ができるとともに、水圧により塵を流出させることができる。垂直下方から川下方向の間に放水孔を設けてあることにより、特に斜め３０〜４５°の位置に設けることにより、確実な流出作用を得ることができる。このようにして、本発明により、床材を敷設したまま、床材上面のみならず、床材下側もきれいに清掃することが可能となる。
【発明を実施するための最良の形態】
【０００６】
以下、図面によって本発明の好適な一実施形態を説明する。
図１は一例としての床材の斜視図、図２はユニット床材の裏面図、図３，４は放水路の部分図、図５，６は変形例を示しているが、本発明はこれらの実施例に限定されるものではない。
【０００７】
図１に示した床材は、水勾配を有した下地床の川上側（ベランダの場合は家屋壁側）の縁沿い（以下、この方向を横方向という）にユニット床材１を敷設するとともに、川下側にユニット床材２を縦横に連結して所定面積を形成した全体面である。
【０００８】
ユニット床材１は、図２に示す如く、合成樹脂その他適宜材質の単位パネル３を複数枚（図では３枚）、目地間隙４を置いて結合部５で横方向に結合形成し、その川下側辺と横方向両側辺に雌雄脱着可能な連結部６を形成し、上記結合部乃至連結部はパネル下方に突出させて接地脚を兼ねさせるようにしてあるとともに、全パネルに亘ってパネル裏側にパイプ状の放水路７を一体的に形成してなっている。
上記パネル自体は単板であるか複合板であるかを問わない。また、放水路その他の各部の材質も合成樹脂その他適宜材質でよい。なお、連結部６は川上側辺にも形成しておくことができ、またはそのような構成の床材を別に形成しておくこともできる。
【０００９】
放水路７は、パネル裏側に一体化させて形成するのが好ましく、例えばパネル裏側に放水路の半径分以下の部分を受ける凹溝を形成し、一部埋め込み状に一体化させ、或いはパネル裏側に補強枠状のリブを突設し、このリブを貫通させて一体化させ、或いはまたパネル裏側に放水路固定部を突設し、この固定部に一体化させるなどすることができる。
【００１０】
放水路７の側面には、全孔から略均等的に放水が可能なように適宜間隔をおいて放水孔８を形成し、放水路７の両端には、互いに着脱連結可能な雄口部９と雌口部１０を形成してある。
【００１１】
放水孔８は、図３に示す如く、放水路７の垂直下方から川下側約９０°内の側面部分に形成するようにし、特に好ましくは該９０°間の中央約３０〜４５°の範囲内に形成するか、或いは同中央３０〜４５°の上下両側位置付近に形成するのが、塵等の流出作用を最も高めることができて好ましく、孔は上下互い違い位置に、隣接孔の放水の広がりがぶつかり合わず、かつ離れてしまわないような間隔で形成するのが好ましい。放水孔の形状は、丸、楕円、スリット状等任意でよい。
図示では、放水路が約１０〜２０ｍｍ径の場合、孔を約３〜１０ｍｍ径とし、孔の位置を上記中央３０〜４５°の間隔をもった上下位置とし、横位置を上下互い違いとし、隣接上下孔の横方向間隔９を約５〜３０ｍｍとなるようにした例を示してある。
【００１２】
放水路７の両端は互いに着脱可能に係合連結する雌雄構造とし、図２，４の例では、一端部を凸環条１０aを周設した雄口部１０とし、他端部を対応する凹溝１１aを内設した雌口部１１として形成してある。
【００１３】
ユニット床材２は、単位パネル３を複数枚（図１では縦横各３枚）、上記同様にして結合し周辺に連結部を形成してなるものであり、ユニット床材１との基本的な違いは放水路７の有無である。
【００１４】
上記構成の床材は、ユニット床材１を下地床面の川上側の縁沿いに必要枚数連結して敷設し、同時に各ユニット床材１の放水路７を雌雄口部１０，１１によって連結するとともに、放水路７の終端部には蓋栓を封止し、上記床材の川下辺に、所望面積となるようにユニット床材２複数枚を連結して形成した床材の川上辺を連結して、所望面積の床材となし、使用に供することができる。
上記床材を清掃する場合、床面上は適宜に清掃でき、放水路７の始端部の雄口部１０に水源に繋げたホース12端を嵌め付けて通水すれば、全長に亘って均一的に形成してある放水路の放水孔７から、下地床面に対して川下方向の斜め下向に直接放水が行われ、溜まっている塵類は水圧と水流をもって排水部に流出されることになる。
【００１５】
なお、上記使用例においては、ユニット床材１を川上沿いに一列敷設した構成を説明したが、二列以上を並設することもできるものである。
図５は、放水路７の始端部の雄口部１０の変形例を示しており、水源ホース１２を繋ぐための雄口部１０aを単位パネル３内から上方に突出するように形成してある。
図６は、ユニット床材１の変形例を示しており、横方向に結合した単位パネル３の裏面に複数列（図では三列）の放水路７を並設して形成してある。放水路の雄口部１０は同数分突出し、始端部ではそれぞれホースを接続することになるが、始端部の三口を合体させて一口として形成したものとすることもできる。
また、上記実施例では、ユニット床材の床面を方形の単位パネルとして図示したが、長尺状の板材を用いるなど任意な構成とすることができ、その他の各部の構成を変形することは任意であり、このような変化は本発明に属するものである。
【図面の簡単な説明】
【００１６】
【図１】本発明に係るユニット床材を用いてなる床材の全面斜視略図である。
【図２】本発明に係るユニット床材の裏面略図である。
【図３】放水路の部分図であり、（Ａ）は放水路の断面図、（Ｂ）は部分正面図である。
【図４】放水路の両端部を示す部分正面図である。
【図５】放水路始端部の変形例を示すユニット床材の斜視略図である。
【図６】ユニット床材の変形例を示すユニット床材の裏面図である。
【符号の説明】
【００１７】
１、２  ユニット床材、      ３  単位パネル、      ４  目地間隙、
５  結合部、      ６  連結部、      ７  放水路、      ８  放水孔、
９  横方向間隔、    １０  雄口部、      １１  雌口部、      １２  ホース。
【図１】
2006336288.tif 000003
【図２】
2006336288.tif 000004
【図３】
2006336288.tif 000005
【図４】
2006336288.tif 000006
【図５】
2006336288.tif 000007
【図６】
2006336288.tif 000008